(57)【要約】【課題】清掃シートを用いたりすることなく、コンタクトガラス面への異物の滞留や付着を効率的に防ぐことが可能な画像読取装置を提供する。【解決手段】シートスルー方式のディジタル複写機において、原稿Ｓが搬送されるコンタクトガラス１８の上面の上流側（初期位置）に、下流側の端面とコンタクトガラス１８の上面との間に段差部Ｇを有する段差部材５００を配置する。異物の滞留が確認されると、コントローラは異物検出信号に基づいて段差移動機構を制御し、原稿Ｓが読取り位置ＳＰに搬送されるまでの間に段差部材５００を初期位置より上流側に退避させる。読取り対象の原稿Ｓを読取り位置ＳＰよりも上流側においてコンタクトガラス１８の上面と接触させることで、原稿Ｓの読取り動作に伴って、読取り位置ＳＰ上に滞留する異物の清掃を行う。【選択図】図４
2014207550.tif 000002
【特許請求の範囲】
【請求項１】
上面を原稿が搬送されるコンタクトガラスと、
前記コンタクトガラスの上面に配置され、前記原稿の搬送方向と直交する前記コンタクトガラスの幅方向にわたって、前記原稿の搬送方向の下流側の端面と前記コンタクトガラスの上面との間に所定の段差部を有する段差部材と、
前記段差部材の前記段差部によって形成される、前記原稿が前記コンタクトガラスと接触しない領域内の読取り位置で、前記原稿の画像を前記コンタクトガラスの下方から読取る読取手段と、
前記段差部材を、少なくとも前記原稿の搬送方向の上流側に移動させる移動機構と、
前記コンタクトガラス上の前記読取り位置における異物を検出する異物検出手段と、
原稿の読取り時に、前記異物検出手段によって異物が検出されたことを条件として、前記移動機構を制御し、前記原稿が前記読取り位置に搬送されるまでの間に、前記段差部材を前記原稿の搬送方向の上流側に退避させ、前記コンタクトガラスの上面を搬送される原稿が前記コンタクトガラス上の前記読取り位置に接触するように制御する移動制御手段と、
を備えたことを特徴とする画像読取装置。
【請求項２】
前記移動制御手段は、所定枚数の原稿の読取りを行うごとに前記移動機構により前記段差部材を前記コンタクトガラスの上面より退避させ、前記コンタクトガラスの上面を搬送される原稿が前記コンタクトガラス上の前記読取り位置に接触するように制御することを特徴とする請求項１に記載の画像読取装置。
【請求項３】
前記段差部材は、前記コンタクトガラス上の任意の位置に配置することが可能な構成とされることを特徴とする請求項１または２に記載の画像読取装置。
【請求項４】
前記請求項１〜３のいずれか一項に記載の画像読取装置を備えたことを特徴とする画像形成装置。
【発明の詳細な説明】
【技術分野】
【０００１】
本発明は、画像読取装置およびこれを備えた画像形成装置に関するもので、特に、ファクシミリ、スキャナ、複写機、複合機などに適用されるものである。
【背景技術】
【０００２】
読取り位置において、原稿を搬送しながら原稿画像を読取るシートスルー方式の複写機は、ガラス面に異物が滞留または付着した場合や傷がついた場合、それらが複写画像上にスジ画像などの異常画像（画像ノイズ）となって現れる。
【０００３】
付着異物は、主に、原稿に固着したテープや接着糊の剥離物、修正液、ボールペンのインク塊、消しゴム屑といった粘着性異物であり、読取り時に原稿がガラス面を摺擦する際に付着する。ガラス面に付着した粘着性異物は容易には除去できないため、画像ノイズとなりやすいという問題があった。
【０００４】
一方、滞留異物、例えば、搬送される原稿から飛散する紙粉や大気中の埃などの浮遊性異物からなる滞留異物の場合は、原稿を読取り位置に強く接触させながら搬送することで除去できる場合が多い。そのため、滞留異物が画像ノイズとなるのを防ぐのは比較的に容易である。
【０００５】
しかし、シートスルー方式の複写機では、通常、原稿をローラなどで挟持してガイド板に接触させながら搬送するため、紙などが主体の原稿からの紙粉の落下は避けられない。
【０００６】
そこで、読取りガラス上の読取り位置に、原稿とは接触しない領域を設けるとともに、清掃シートを用いて、ガラス面をクリーニングするようにしたシートスルー方式の画像読取装置が提案されている（例えば、特許文献１参照）。
【０００７】
すなわち、この提案は、読取りガラス上の読取り位置の上流側（原稿の反搬送方向側）に段差シートを設け、読取り時には、段差シートの下流側の端部と読取りガラスとの間に形成される、ガラス面に対して搬送中の原稿が非接触となる領域内で原稿の読取りを行うようにしたものである。
【０００８】
また、クリーニング時には、段差シートをさらに読取り位置の上流側に移動させることによって、清掃シートの先端が確実にガラス面の読取り位置に接触するようにしている。
【発明の概要】
【発明が解決しようとする課題】
【０００９】
しかしながら、上記した特許文献１に記載のものは、読取りガラスのクリーニングに清掃シートを使用するため、清掃シートの収納場所を確保する必要がある。また、清掃シートは、汚れや経年劣化などによる交換が必要なものであり、コストの面で割高となる。さらには、クリーニング中は原稿の読取りが行えないため、装置の稼働率を低下させるなどの問題があった。
【００１０】
本発明は、上述したような問題を解決するためになされたもので、清掃シートを用いたりすることなく、コンタクトガラス面への異物の滞留や付着を効率的に防ぐことが可能な画像読取装置およびこれを備えた画像形成装置を提供することにある。
【課題を解決するための手段】
【００１１】
本発明に係る画像読取装置は、上面を原稿が搬送されるコンタクトガラスと、前記コンタクトガラスの上面に配置され、前記原稿の搬送方向と直交する前記コンタクトガラスの幅方向にわたって、前記原稿の搬送方向の下流側の端面と前記コンタクトガラスの上面との間に所定の段差部を有する段差部材と、前記段差部材の前記段差部によって形成される、前記原稿が前記コンタクトガラスと接触しない領域内の読取り位置で、前記原稿の画像を前記コンタクトガラスの下方から読取る読取手段と、前記段差部材を、少なくとも前記原稿の搬送方向の上流側に移動させる移動機構と、前記コンタクトガラス上の前記読取り位置における異物を検出する異物検出手段と、原稿の読取り時に、前記異物検出手段によって異物が検出されたことを条件として、前記移動機構を制御し、前記原稿が前記読取り位置に搬送されるまでの間に、前記段差部材を前記原稿搬送方向の上流側に退避させ、前記コンタクトガラスの上面を搬送される原稿が前記コンタクトガラス上の前記読取り位置に接触するように制御する移動制御手段と、を備える構成を有する。
【発明の効果】
【００１２】
本発明によれば、清掃シートを用いたりすることなく、コンタクトガラス面への異物の滞留や付着を効率的に防ぐことが可能な画像読取装置およびこれを備えた画像形成装置を提供できる。
【図面の簡単な説明】
【００１３】
【図１】本発明の実施の形態に係るディジタル複写機の概略構成を示す断面図である。
【図２】本発明の実施の形態に係るディジタル複写機におけるＡＤＦの概略構成を示す断面図である。
【図３】本発明の実施の形態に係るディジタル複写機の滞留異物非確認時における読取り動作を説明するために示す図である。
【図４】本発明の実施の形態に係るディジタル複写機の滞留異物確認時における読取り動作を説明するために示す図である。
【図５】本発明の実施の形態に係るディジタル複写機の制御部の構成例を示すブロック図である。
【図６】本発明の実施の形態に係るディジタル複写機における段差移動機構の構成例を示す斜視図である。
【図７】図６に示した段差移動機構の斜視図である。
【図８】本発明の実施の形態に係るディジタル複写機の読取り動作を説明するために示すフローチャートである。
【図９】本発明の実施の形態に係るディジタル複写機における段差移動機構の第１の変形例を示す斜視図である。
【図１０】図９に示した段差移動機構の第１の変形例の斜視図である。
【図１１】本発明の実施の形態に係るディジタル複写機における段差移動機構の第２の変形例を示す斜視図である。
【図１２】図１１に示した段差移動機構の斜視図である。
【図１３】図１１に示した段差移動機構の断面図である。
【図１４】本発明の実施の形態に係るディジタル複写機における段差移動機構の第３の変形例を示す斜視図である。
【図１５】図１４に示した段差移動機構の斜視図である。
【発明を実施するための形態】
【００１４】
以下、本発明の実施形態について、図面を参照して説明する。
【００１５】
図１は、本発明に係る画像読取装置を、シートスルー方式のディジタル複写機（画像形成装置）に適用した場合を例に示すものである。
【００１６】
図１において、ディジタル複写機１の本体１ａの上面には、コンタクトガラス１８、１０４が装着されている。これらのコンタクトガラス１８、１０４の表面には、例えば、コーティング剤としての界面活性剤（例えば、シリコン系界面活性剤など）によるコーティング処理が施されている。このコーティング処理は、コンタクトガラス１８、１０４の表面への原稿からの異物（例えば、原稿に固着したテープや接着糊の剥離物、修正液、ボールペンのインク塊、消しゴム屑など）の付着を抑えるためのものである。
【００１７】
本体１ａの上部には、図示していないヒンジ機構を介して、自動原稿搬送装置（以下、「ＡＤＦ」ともいう）３００が取り付けられている。すなわち、ＡＤＦ３００は、コンタクトガラス１８、１０４に対して開閉自在に設けられている。
【００１８】
図２に示すように、ＡＤＦ３００は、原稿テーブル２０上に載置された複数のシート状の原稿Ｓを積層してなる原稿束（図示していない）から１枚ずつ原稿Ｓを分離して取り出し、コンタクトガラス１８上の画像読取り位置ＳＰに搬送する。そして、ＡＤＦ３００は、画像読取り後の原稿Ｓを排紙トレイ２９上に排紙するように構成されている。
【００１９】
一方、図１に示すように、本体１ａのコンタクトガラス１８、１０４の下方には、スキャナ（読取手段）１２１が図示矢印方向に移動自在に設けられている。スキャナ１２１は、図示していない露光ランプ、ミラー、レンズ、電荷結合素子（ＣＣＤ）からなるイメージセンサ、などを有する。
【００２０】
コンタクトガラス１８上に原稿Ｓを搬送しながら原稿Ｓの画情報を読取る場合（いわゆる、シートスルー読取り方式に相当する）には、スキャナ１２１の位置がコンタクトガラス１８の略真下に固定される。このスキャナ１２１が対応する画像読取り位置において、スキャナ１２１は、コンタクトガラス１８の下方から原稿Ｓの画情報を光学的に読取るように構成されている。
【００２１】
また、スキャナ１２１によって読取られた原稿Ｓの画情報は、画像データとして、後述する本体制御部（異物検出手段）１１１に出力される。
【００２２】
ここで、本体制御部１１１は、入力した画像データを書込み光学系２００によって、画像形成部４０１を構成する感光体ドラム４０２の表面に書込んで静電潜像を形成させる。画像形成部４０１は、帯電部４０３、露光部４０４、現像部４０５をさらに有し、感光体ドラム４０２上に可視トナー像を形成するようになっている。
【００２３】
一方、画像形成部４０１に対しては、本体制御部１１１の制御により、画像形成プロセスに合わせて転写給紙系４０６から転写紙Ｐが給紙されるように構成されている。画像形成部４０１に搬送された転写紙Ｐは、画像形成部４０１を構成する転写部４０７によって、当該転写紙Ｐの第１面にトナー（トナー像）が転写される。さらに、トナーの転写された転写紙Ｐは、定着系４０８によってトナーが定着された後、転写反転排紙部４０９に搬送されるように構成されている。
【００２４】
ここで、転写反転排紙部４０９における経路Ａは、ディジタル複写機１の機外に転写紙Ｐを排紙するための経路であり、経路Ｂは、転写反転排紙部４０９内で転写紙Ｐの表裏（第１面および第２面）を反転して機外に排紙するための経路である。また、経路Ｃは、転写反転排紙部４０９内で転写紙Ｐの表裏を反転し、いわゆる両面トレイとして、その転写紙Ｐを画像形成部４０１に再給紙するための経路である。なお、画像形成部４０１に再給紙された転写紙Ｐは、上述の画像形成プロセスを経て、当該転写紙Ｐの第２面にトナー像が転写され、さらに定着された後、経路Ａによって機外に排紙される。
【００２５】
次に、上述したＡＤＦ３００の構成について説明する。
【００２６】
図２は、ＡＤＦ３００の構成を概略的に示すものである。
【００２７】
ＡＤＦ３００は、原稿セット部Ｐ1 、分離給送部Ｐ2 、レジスト部Ｐ3 、反転部Ｐ4 、読取搬送部Ｐ5 、第１のスイッチバック部Ｐ6 、中間搬送部Ｐ7 、第２のスイッチバック部Ｐ8 、反転排紙部Ｐ9 、および、スタック部Ｐ10を有して構成されている。また、ＡＤＦ３００は、後述するように、駆動部（各種のモータ３０１〜３０５などに相当する）、および、移動制御手段となるコントローラ１００などを有する構成とされている（図５参照）。
【００２８】
原稿セット部Ｐ1 は、画像読取り対象の原稿束（または、１枚の単原稿）がセットされる原稿テーブル２０および可動原稿テーブル３を有する。
【００２９】
分離給送部Ｐ2 は、原稿セット部Ｐ1 にセットされた単原稿としての原稿Ｓまたは原稿束から１枚ずつ原稿Ｓを分離してレジスト部Ｐ3 に給送する。
【００３０】
レジスト部Ｐ3 は、給送された原稿Ｓを一次突き当て整合するとともに、整合後の原稿Ｓを引き出して反転部Ｐ4 に搬送する。
【００３１】
反転部Ｐ4 は、搬送される原稿Ｓを反転させて、原稿Ｓの原稿面である表面を読取り側（ここでは、下方）に向けて搬送する。
【００３２】
読取搬送部Ｐ5 は、原稿Ｓが画像読取り位置ＳＰを通過するように搬送し、その画像読取り位置ＳＰにおいて、スキャナ１２１によってコンタクトガラス１８の下方より原稿Ｓの表面の画情報を読取らせる。
【００３３】
第１のスイッチバック部Ｐ6 は、画像読取り後の原稿Ｓの表裏面を反転するためのものである。
【００３４】
中間搬送部Ｐ7 は、第１のスイッチバック部Ｐ6 で反転された原稿Ｓをレジスト部Ｐ3 に戻すための搬送路（再給紙路）である。
【００３５】
第２のスイッチバック部Ｐ8 は、再読取り後の原稿Ｓを一時的に待機させるためのものである。
【００３６】
反転排紙部Ｐ9 は、画像読取り後の原稿Ｓを機外に排紙したり、再読取り後の原稿Ｓを反転して機外に排紙したりする。
【００３７】
スタック部Ｐ10は、反転排紙部Ｐ9 によって排紙される読取り完了後の原稿Ｓを積載保持する。
【００３８】
より具体的には、原稿セット部Ｐ1 において、原稿テーブル２０は、原稿Ｓが原稿面を上向きにして、所定の位置に載置されるものである。
【００３９】
原稿長さセンサ３０ｓ、３１ｓは、反射型センサまたは１枚の原稿Ｓでも検知可能なアクチェーター・タイプのセンサからなる。原稿長さセンサ３０ｓ、３１ｓは、セットされた原稿Ｓのサイズと当該原稿Ｓが縦置きなのか横置きなのかを判断可能な、原稿テーブル２０の所定の位置に配置されている。
【００４０】
可動原稿テーブル３は、図示矢印ａ、ｂ方向に変位するもので、原稿テーブル２０に原稿束が載置されることによって、図示実線位置から図示破線位置に変位する。
【００４１】
セットフィラー４は、図示矢印ｃ、ｄ方向に変位するもので、原稿テーブル２０に原稿束が載置されることによって、図示破線位置から図示実線位置に変位する。
【００４２】
原稿セットセンサ５は、非原稿セット時には、セットフィラー４によって遮光されるようになっており、原稿セット時には、セットフィラー４の変位によって遮光が解除され、原稿セットを検知するものである。
【００４３】
なお、原稿セット時には、原稿長さセンサ３０ｓ、３１ｓからは原稿Ｓの搬送方向の概略長さを判定するための長さ信号が、インタフェース１０７（図５参照）を介して、後述するコントローラ１００に対して送信される。また、原稿セットセンサ５からは原稿セット信号が、インタフェース１０７（図５参照）を介して、後述するコントローラ１００に対して送信される。
【００４４】
分離給送部Ｐ2 において、ピックアップローラ７は、非給紙動作時には図示破線位置に存在し、給紙動作時にはピックアップモータ３０１（図５参照）の逆転駆動により図示破線位置から図示実線位置に移動し、原稿束の上面に圧接するものである。また、ピックアップローラ７は、上述のように、図示破線位置から図示実線位置に移動した後、後述する給紙モータ３０２の正転駆動により原稿束の最上紙を取出すものである。
【００４５】
テーブル上昇センサ８は、ピックアップローラ７の状態（位置）を検知するためのものである。
【００４６】
給紙ベルト９は、ベルトプーリに所定の張力で掛け渡された無端ベルトであり、対向配置されたリバースローラ１０に巻き掛けられるように圧接している。
【００４７】
リバースローラ１０は、所定の大きさのトルクを有するトルクリミッタ（図示していない）を介して、フリクション駆動されるようになっている。すなわち、リバースローラ１０は、給紙ベルト９との直接系合時または１枚の原稿Ｓを介して係合している状態では、給紙ベルト９の回転に連れて反時計方向に回転する。万が一、２枚以上の原稿Ｓが給紙ベルト９とリバースローラ１０との間に進入した場合には、リバースローラ１０が本来の駆動方向である時計方向に回転し、余分な原稿Ｓを押し戻して原稿Ｓの重送を防止する。このように、リバースローラ１０は、連れ回り力がトルクリミッタのトルクよりも低くなるように設定されている。
【００４８】
突当てセンサ１１は、１枚に分離された原稿Ｓが給紙ベルト９の駆動で給紙路を進む過程において、当該原稿Ｓの先端を検知するものである。
【００４９】
レジスト部Ｐ3 において、プルアウトローラ１２は、突当てセンサ１１による先端検知から所定量だけ搬送された原稿Ｓを、停止状態からの給紙モータ３０２（図５参照）の逆転駆動により反転部Ｐ4 へと搬送する。なお、プルアウトローラ１２は、停止状態時に、原稿Ｓがニップに突き当てられることにより、原稿Ｓのスキューを補正するようになっている。
【００５０】
原稿幅センサ１３は、プルアウトローラ１２により搬送される原稿Ｓの幅サイズ（搬送方向と直交する方向のサイズ）を検知するものである。原稿幅センサ１３は、この検知に伴う幅信号を後述するコントローラ１００に送信するようにしている。
【００５１】
ここで、原稿Ｓは、原稿幅センサ１３による幅信号と原稿長さセンサ３０ｓ、３１ｓによる長さ信号との組み合わせによって、後述するコントローラ１００により正確なサイズが確定される。原稿Ｓのサイズを示す原稿サイズ信号は、後述するように、コントローラ１００からインタフェース１０７を介して本体制御部１１１に対して送信される。
【００５２】
反転部Ｐ4 において、中間ローラ１４は、プルアウトローラ１２によって搬送されてきた原稿Ｓをさらに搬送方向の下流側へと搬送し、その搬送の過程において、原稿Ｓの表裏を反転するものである。
【００５３】
読取入口センサ１５は、中間ローラ１４によって搬送されてきた原稿Ｓを検知するものである。
【００５４】
読取入口ローラ１６は、中間ローラ１４によって搬送されてきた原稿Ｓをレジスト位置へと搬送するものである。
【００５５】
レジストセンサ１７は、読取入口ローラ１６によって搬送されてきた原稿Ｓを検知するものである。レジストセンサ１７は、この検知に伴うレジスト信号を、後述するコントローラ１００に送信するようになっている。
【００５６】
なお、コントローラ１００は、レジスト信号の入力から所定時間経過した後、つまり、読取入口ローラ１６により所定パルス数分だけ原稿Ｓを搬送させた後、原稿Ｓの搬送を停止させる。また、コントローラ１００は、原稿Ｓの搬送停止に伴うレジスト停止信号を、インタフェース１０７を介して本体制御部１１１に送信する（図５参照）。
【００５７】
読取搬送部Ｐ5 において、読取りガイド２０３は、原稿Ｓをコンタクトガラス１８上の画像読取り位置ＳＰに案内するものである。読取りガイド２０３は、画像読取りのための白色基準ともなっている。
【００５８】
スケールガイド１０３は、画像読取り後の原稿Ｓを読取出口ローラ２１に案内するためのものである。
【００５９】
読取出口ローラ２１は、画像読取り後の原稿Ｓを搬送方向のさらに下流側に搬送するものである。
【００６０】
排紙センサ２２は、読取出口ローラ２１によって搬送されてきた画像読取り後の原稿Ｓの通過を検知するためのものである。
【００６１】
段差部材５００は、画像読取り時に、画像読取り位置ＳＰ上を搬送される原稿Ｓが直にコンタクトガラス１８に接触しないようにするために設けられたものである。
【００６２】
ここで、段差部材５００について簡単に説明する。
【００６３】
図３に示すように、段差部材５００は、コンタクトガラス１８の上面の、原稿Ｓの搬送方向の上流側に配置されている（この配置を、段差部材５００の初期位置とする）。段差部材５００は、原稿Ｓの搬送方向と直交するコンタクトガラス１８の幅方向にわたって、下流側の端面に、コンタクトガラス１８の上面との間に所定の段差部Ｇを有している。
【００６４】
すなわち、段差部材５００は、原稿Ｓの搬送方向の下流側の端面であるエッジ部が画像読取り位置ＳＰよりも上流側に位置するとともに、当該エッジ部によってコンタクトガラス１８の上面よりも高い段差部Ｇが形成されている。この段差部Ｇにより、コンタクトガラス１８の上面に対して、少なくとも画像読取り位置ＳＰを含んで、原稿Ｓがコンタクトガラス１８と接触しない非接触領域（隙間）ＮＣが形成される。
【００６５】
このように、非接触領域ＮＣの範囲内において、原稿Ｓがコンタクトガラス１８と接触しないようにすることによって、画像読取り位置ＳＰへの原稿Ｓからの異物の付着を防ぐことが可能となる。
【００６６】
図４に示すように、段差部材５００は、原稿Ｓの搬送方向の上流側に移動可能に設けられている。例えば、異物検出時に、段差部材５００は、後述する段差移動機構５１０によって初期位置から上流側に移動（退避）させられるようになっている。すなわち、段差部材５００の上流側への退避により、原稿Ｓは、画像読取り位置ＳＰよりも上流側において、コンタクトガラス１８の上面と接触するようになる。
【００６７】
これにより、画像読取り時に、少なくとも画像読取り位置ＳＰに滞留する異物を、原稿Ｓの画情報の読取り動作に伴って、コンタクトガラス１８上から排除することが可能となる。
【００６８】
ここで、コンタクトガラス１８に付着する異物としては、例えば、原稿Ｓに固着したテープや接着糊の剥離物、修正液、ボールペンのインク塊、消しゴム屑などの粘着性異物である。また、滞留する異物としては、搬送される原稿Ｓから飛散する紙粉や大気中の埃などの浮遊性異物である。
【００６９】
これらの異物は、例えば原稿Ｓが段差部材５００に到達する前の、コンタクトガラス１８のガラス面をスキャナ１２１によりスキャンし、そのスキャン画像を本体制御部１１１において画像処理することによって検出される。
【００７０】
図２に示すように、第１のスイッチバック部Ｐ6 において、上反転ローラ３１は、画像読取り後の原稿Ｓをスイッチバック搬送するとともに、当該原稿Ｓの端部（スイッチバック搬送する方向の上流側の端部）を保持するものである。
【００７１】
切替爪３０は、図示矢印ｉ、ｊ方向に変位し、画像読取り後の原稿Ｓを第１のスイッチバック部Ｐ6 の経路へ搬送するか、スタック部Ｐ10へ排紙するかを切替えるものである。なお、切替爪３０の上面は、第１のスイッチバック部Ｐ6 の経路の一部を形成している。
【００７２】
スイッチバックセンサ３２は、上反転ローラ３１によって保持された原稿Ｓを検知するものである。
【００７３】
中間搬送部Ｐ7 において、中間搬送ローラ３３は、画像読取り完了後の原稿Ｓをレジスト部Ｐ3 へ再搬送するものである。
【００７４】
第２のスイッチバック部Ｐ8 において、反転切替爪２３は、図示矢印ｅ、ｆ方向に変位し、画像読取り後の原稿Ｓを第２のスイッチバック部Ｐ8 の経路へ搬送するか、スタック部Ｐ10の方向へ搬送するかを切替えるものである。また、反転切替爪２４は、図示矢印ｇ、ｈ方向に変位し、第２のスイッチバック部Ｐ8 の経路上の原稿Ｓを反転してスタック部Ｐ10へ排紙するように切替えるものである。
【００７５】
下反転ローラ２５は、画像読取り後の原稿Ｓをスイッチバック搬送するとともに、当該原稿Ｓの端部（スイッチバック搬送する方向の上流側の端部）を保持するものである。
【００７６】
下反転センサ２６は、下反転ローラ２５によって第２のスイッチバック部Ｐ8 の経路へ搬送されてきた原稿Ｓを検知するものである。
【００７７】
上反転センサ２７は、第２のスイッチバック部Ｐ8 の経路から反転してスタック部Ｐ10に排紙される原稿Ｓの端部を検知するものである。
【００７８】
反転排紙部Ｐ9 において、排紙ローラ２８は、画像読取り完了後の原稿Ｓをスタック部Ｐ10へ排紙するものである。
【００７９】
スタック部Ｐ10において、排紙トレイ２９は、画像読取り完了後の原稿Ｓを積層状態で保持するためのものである。
【００８０】
次に、上述したディジタル複写機１の制御部の構成について説明する。
【００８１】
図５において、全体を制御する本体制御部１１１は、インタフェース１０６を介して、ディジタル複写機１の操作表示部１０８から送信された信号を受信する。こうして受信した信号が示す情報に基づいて、本体制御部１１１は、操作表示部１０８の表示制御、スキャナ１２１を駆動する読取駆動部１０９の駆動制御などを行う。
【００８２】
また、本体制御部１１１は、インタフェース１０７を介して、ＡＤＦ３００のコントローラ１００から送信された信号を受信する。こうして受信した信号が示す情報に基づいて、本体制御部１１１は、スキャナ１２１の読取り制御や操作表示部１０８の表示制御などを行う。また、本体制御部１１１は、コントローラ１００に対し、モード信号や給紙開始信号（読取りスタート信号）を含む各種の制御信号を送信し、コントローラ１００によるＡＤＦ３００の搬送動作を制御する。
【００８３】
特に、本体制御部１１１は、原稿Ｓの画像読取り動作前に、スキャナ１２１からの読取り情報（コンタクトガラス１８を読取ったときの画像データ、いわゆるスキャン画像）に基づいて、コンタクトガラス１８の上面に滞留する異物の有無を検出する。異物が検出された場合には、本体制御部１１１は、コントローラ１００に対して、段差部材５００をコンタクトガラス１８の上面の初期位置より上流側に退避させるように指示を出す。
【００８４】
また、段差部材５００を退避させた状態において、同様の異物検出動作を行った際に異物が検出されなかった場合には、本体制御部１１１は、コントローラ１００に対して、段差部材５００をコンタクトガラス１８の上面の初期位置に復帰させるように指示を出す。すなわち、異物検出動作に続く、原稿Ｓの画像読取り動作によって異物が排除された場合には、本体制御部１１１は、段差部材５００をコンタクトガラス１８の上面の初期位置に復帰させるようにコントローラ１００を制御する。
【００８５】
なお、段差部材５００を初期位置に復帰させる際に、少なくも段差部材５００の２箇所（例えば、幅方向の両端）の位置を検出し、双方の位置のずれによって段差部材５００のスキューを検出し、それを補正するようにしてもよい。
【００８６】
ここで、本体制御部１１１は、ＲＡＭ（図示していない）を有している。本体制御部１１１は、ＲＡＭの所定領域に、操作表示部１０８から入力または設定された動作モードなどを更新可能に記憶するとともに、その内容が変更されるたびに記憶内容を更新するようになっている。
【００８７】
操作表示部１０８は、図示していないが、スタートボタンやテンキーなどの各種ボタンキーおよびＬＣＤ表示器などを有し、モードの切替えや動作開始／停止指示などをユーザの操作により入力できるようになっている。
【００８８】
なお、本実施の形態に係るディジタル複写機１においては、詳細な説明は省略するが、少なくともＡＤＦ３００を閉じて原稿テーブル２０上の原稿Ｓを自動搬送するＡＤＦモードを有している。また、このＡＤＦモードにおいて、原稿Ｓの片面の画情報を読取って複写する片面モード、原稿Ｓの両面の画情報を読取って複写する両面モード、混載された異なるサイズの原稿Ｓの画情報を読取って複写する混載モード、を設定できるようになっている。
【００８９】
ＡＤＦ３００の動作を制御するコントローラ１００は、原稿セットセンサ５、原稿幅センサ１３、レジストセンサ１７、原稿長さセンサ３０ｓ、３１ｓ、排紙センサ２２、を含む各センサなどからの信号を入力する。
【００９０】
また、コントローラ１００は、図示していない反転ソレノイドからの状態信号、インタフェース１０７を介して送信される本体制御部１１１からの信号（例えば、給紙開始信号）などを入力する。
【００９１】
また、コントローラ１００は、インタフェース１０７を介して各センサなどからの信号（検知情報など）を本体制御部１１１に送信する。
【００９２】
また、コントローラ１００は、ピックアップモータ３０１、給紙モータ３０２、読取モータ３０３、排紙モータ３０４、底板上昇モータ３０５を含む駆動部や、段差部材５００の位置を変えるための段差移動機構５１０（後述する）などに信号を出力する。
【００９３】
すなわち、コントローラ１００は、画像読取り時には、各センサなどからの信号や本体制御部１１１から送信される信号などに基づいて、各モータ３０１〜３０５の駆動を制御する。
【００９４】
また、コントローラ１００は、異物検出時、つまり、画像読取り動作にあたって、読取り対象の原稿Ｓが画像読取り位置ＳＰに到達する前のスキャン画像に基づく異物検出の結果にしたがって、段差移動機構５１０を制御する。
【００９５】
なお、各モータ３０１〜３０５は、いずれもステッピングモータから構成されている。よって、コントローラ１００は、例えばパルス数をカウントし、１パルス当たりの駆動量を乗じることによって、各モータの駆動量が容易に得られる。
【００９６】
すなわち、コントローラ１００は、各モータの駆動量と各センサの出力とに基づき、原稿Ｓの長さの検出を行うとともに、先行原稿Ｓと次原稿Ｓとの搬送間隔制御、レジスト検知後の読取り位置到達タイミング制御、読取り動作終了タイミング制御などを行う。
【００９７】
また、コントローラ１００は、各モータの駆動量と各センサの出力とに基づき、スキャナ１２１の移動量制御などを行う（非シートスルー読取り方式時）。
【００９８】
さらに、コントローラ１００は、シートスルー読取り方式での読取りにおいて、原稿Ｓの画像読取り前のスキャン画像に基づいて段差移動機構５１０を制御し、異物検出時の段差部材５００の退避制御を行うようになっている。
【００９９】
次に、段差部材５００および段差移動機構５１０の具体的構成について説明する。
【０１００】
図６および図７に示すように、本実施の形態に係るディジタル複写機１において、段差部材５００は、ソレノイドを有する段差移動機構５１０により退避動作が制御されるように構成されている。
【０１０１】
ここで、段差部材５００は、コンタクトガラス１８が取り付けられた読取り搬送経路部材５０１の下面に装着されている。すなわち、読取り搬送経路部材５０１は、所定の厚みを有する矩形状の枠体５０２によって構成されている。その枠体５０２の開口の底部には、コンタクトガラス１８が取り付けられている。
【０１０２】
枠体５０２の、原稿Ｓの搬送方向の下流側には、スケールガイド１０３を形成する傾斜部が設けられている。
【０１０３】
枠体５０２の、原稿Ｓの搬送方向の上流側には、コンタクトガラス１８の上面との間に挿入口５０３が形成されている。この挿入口５０３に段差部材５００が挿入されることで、段差部材５００は、コンタクトガラス１８の上流側に配置されるようになっている。
【０１０４】
段差部材５００の、原稿Ｓの搬送方向と直交する方向の両端下部には、上流側にスプリング係合部５００ｂが設けられ、枠体５０２の、原稿Ｓの搬送方向と直交する方向の両端下部には、下流側にスプリング係合部５０４が設けられている。上流側のスプリング係合部５００ｂと下流側のスプリング係合部５０４との間には、それぞれスプリング５０５が架け渡されている。これにより、段差部材５００に対しては、常に、コンタクトガラス１８上へ向かう方向（下流側）へ付勢する力が働いている。
【０１０５】
一方、段差部材５００は、例えば、その上流側の端部に係部５００ａが設けられている。この係部５００ａは挿入口５０３に対するストッパとなっており、相互が係合することにより、コンタクトガラス１８の上面において、段差部材５００が必要以上（初期位置よりも奥）に入り込むのを防止するようになっている。
【０１０６】
また、段差部材５００の上流側には、段差移動機構５１０が設けられている。段差移動機構５１０は、例えば、ソレノイド５１１、レバー５１２、アーム５１３を有して構成されている。
【０１０７】
すなわち、段差部材５００の下面（裏面）の一部には、アーム５１３の一端部が接続されている。アーム５１３の他端部は、レバー５１２の一方の端部５１２ａに形成された長穴５１２ｂ内に摺動可能に取り付けられている。レバー５１２は略Ｌ字型を有し、一方の端部５１２ａが垂直方向に向かい、他方の端部５１２ｃが水平方向の上流側に向いた状態（段差部材５００の初期位置）において、その垂直方向に位置する一方の端部５１２ａにアーム５１３の他端部が取り付けられている。
【０１０８】
略Ｌ字型を有するレバー５１２の、その水平方向に位置する上流側の他方の端部５１２ｃに形成された長穴５１２ｄには、垂直方向に伸縮自在に配置されたソレノイド５１１の伸縮アーム５１１ａの先端部が摺動可能に取り付けられている。レバー５１２は、伸縮アーム５１１ａの下方向への駆動により、支点５１２ｅを中心にして図示矢印の方向（反時計回り方向）に回動動作する。
【０１０９】
このように、段差移動機構５１０は、図示の状態において、ソレノイド５１１が動作して伸縮アーム５１１ａを下方向に駆動することにより、レバー５１２を反時計回り方向に回動させる。このレバー５１２の回動動作に伴って、段差部材５００がアーム５１３により上流側に引っ張られることにより、最終的に、段差移動機構５１０は、段差部材５００をコンタクトガラス１８の上面の初期位置より上流側に退避させる。
【０１１０】
なお、段差移動機構５１０をこのような構成とした場合には、ソレノイド５１１を垂直方向に向けて設置できるため、水平方向のスペースを確保できない場合に有利である。
【０１１１】
次に、以上のように構成されたディジタル複写機１における原稿Ｓの読取り動作について説明する。
【０１１２】
図８は、ＡＤＦ３００を用いた、シートスルー方式による原稿の読取り動作に係る処理の流れを示すものである。なお、基本的な処理の流れに大きな差異はないため、ここでは単原稿の読取り（片面モード）の場合を例に説明する。
【０１１３】
まず、ユーザによって原稿テーブル２０上に原稿Ｓが載置され、かつ、操作表示部１０８からスタートボタンの操作に伴う信号が入力されると、本体制御部１１１は、読取駆動部１０９を制御してコンタクトガラス１８上の異物確認を行う（ステップＳ０１）。
【０１１４】
すなわち、本体制御部１１１は、例えば、読取りスタート信号をコントローラ１００に送信するとともに、読取駆動部１０９に対して、スキャナ１２１の読取り制御のための信号を送信する。
【０１１５】
これにより、読取駆動部１０９は、搬送される読取り対象の原稿Ｓが画像読取り位置ＳＰに到達する前に、スキャナ１２１によってコンタクトガラス１８のガラス面を読取らせる。より具体的には、読取駆動部１０９は、スキャナ１２１の位置を必要に応じて移動させ、原稿Ｓが到達する前の画像読取り位置ＳＰにおいて、スキャナ１２１からのスキャン画像を取込む。
【０１１６】
次いで、スキャナ１２１によって読取られた画像データ（スキャン画像）を基に、本体制御部１１１は、コンタクトガラス１８上の画像読取り位置ＳＰに異物が滞留しているか否かを判断する（ステップＳ０２）。この判断の結果、「ＮＯ」の場合には処理がステップＳ０３に移り、「ＹＥＳ」の場合には処理がステップＳ０５に移行する。
【０１１７】
ステップＳ０３においては、つまり、異物の滞留が確認されなかった場合には、本体制御部１１１は、コントローラ１００および読取駆動部１０９を制御し、通常の読取り動作を実行させる。
【０１１８】
すなわち、コントローラ１００は、読取りスタート信号に基づいて各モータ３０１〜３０５などを駆動させ、読取り対象の原稿Ｓをコンタクトガラス１８上の画像読取り位置ＳＰへと搬送させる。この場合、コンタクトガラス１８上の初期位置には段差部材５００があるため、原稿Ｓは、少なくとも画像読取り位置ＳＰにおけるコンタクトガラス１８とは非接触な状態のまま搬送される（図３参照）。
【０１１９】
その一方で、読取駆動部１０９はスキャナ１２１の駆動を制御し、当該原稿Ｓが画像読取り位置ＳＰを通過するタイミングで画情報の読取りを実行させる。
【０１２０】
こうして、原稿Ｓが非接触とされた状態で画像読取り位置ＳＰを通過するのに伴って、原稿Ｓのすべての画情報の読取りが完了すると（ステップＳ０４）、本体制御部１１１は、この原稿読取りの処理を終了し、処理を画像形成動作へと移行させる。
【０１２１】
一方、上記ステップＳ０５においては、つまり、異物の滞留が確認された場合には、本体制御部１１１は、段差移動機構５１０を制御するための指示（異物検出信号）をコントローラ１００に送信する。また、本体制御部１１１は、上記の指示に前後して、コントローラ１００に読取りスタート信号を送信する。
【０１２２】
ここで重要なことは、コントローラ１００に与える指示や信号の順番ではなく、読取り対象の原稿Ｓが段差部材５００に到達する前に、段差移動機構５１０によって段差部材５００をコンタクトガラス１８上の初期位置から退避させることにある。
【０１２３】
すなわち、コントローラ１００は、段差部材５００がコンタクトガラス１８上から退避した後に画像読取り位置ＳＰに原稿Ｓが到達するように、各モータ３０１〜３０５などを制御して、原稿テーブル２０上にセットされた原稿Ｓの搬送を開始させる。同様に、コントローラ１００は、当該原稿Ｓが段差部材５００に到達する前に、段差部材５００の退避動作が終了するように、段差移動機構５１０を制御する。
【０１２４】
こうして、コントローラ１００の制御により、段差移動機構５１０は、ソレノイド５１１を駆動させて、段差部材５００をコンタクトガラス１８上の初期位置から搬送方向の上流側へと退避させる。
【０１２５】
次いで、ステップＳ０６では、読取り対象の原稿Ｓの搬送動作に伴って、コンタクトガラス１８の上面の清掃と画情報の読取りとを行う。
【０１２６】
すなわち、段差部材５００を初期位置から退避させたタイミングでコンタクトガラス１８上に到達した原稿Ｓは、画像読取り位置ＳＰよりも、より上流側でコンタクトガラス１８の上面と接触する（図４参照）。したがって、画像読取り位置ＳＰに滞留する異物は、読取り対象の原稿Ｓがコンタクトガラス１８の上面を上流側から徐々に下流側へと搬送されるのに伴って、画像読取り位置ＳＰより排除される。
【０１２７】
また、上記ステップＳ０３での処理と同様に、この異物の清掃時に、原稿Ｓが画像読取り位置ＳＰを通過するタイミングにおいて、本体制御部１１１によって読取駆動部１０９の駆動が制御されることにより、原稿Ｓの画情報がスキャナ１２１によって読取られる。
【０１２８】
こうして、上記ステップＳ０４での処理と同様に、原稿Ｓのすべての画情報の読取りが完了すると（ステップＳ０７）、本体制御部１１１は、コントローラ１００に段差部材５００を初期位置へ復帰させるための指示を送信する。
【０１２９】
指示を受けたコントローラ１００は、段差移動機構５１０を制御して、ソレノイド５１１の駆動をオフさせる。これにより、段差部材５００は、例えばスプリング５０５の付勢力によって、退避位置からコンタクトガラス１８上の初期位置へと復帰する（ステップＳ０８）。
【０１３０】
このようにして、次の原稿Ｓの読取り動作に備えて、段差部材５００が初期位置に移動されると、本体制御部１１１は、この原稿読取りの処理を終了し、処理を画像形成動作へと移行させる。
【０１３１】
上記したように、本実施の形態に係るディジタル複写機１によれば、清掃シートを用いたりすることなく、コンタクトガラス面への異物の滞留や付着を効率的に防ぐことができる。
【０１３２】
すなわち、このディジタル複写機１では、読取り対象の原稿Ｓの画情報を読取る前に、コンタクトガラス１８のガラス面のスキャン画像を読取って、コンタクトガラス１８上の画像読取り位置ＳＰにおける異物の滞留を確認する。異物の滞留が確認されない場合には、コンタクトガラス１８の上面に移動可能に配置された段差部材５００によって、コンタクトガラス１８に対し、当該原稿Ｓを非接触な状態として画情報の読取りを行う。これにより、原稿Ｓがコンタクトガラス１８と接触することによって原稿Ｓからの異物が画像読取り位置ＳＰに付着するのを防ぐことができる。したがって、原稿Ｓがコンタクトガラス１８と非接触となる領域内に画像読取り位置ＳＰを設定することで、段差部材５００の退避を行わずとも、転写紙Ｐ上における異物の付着によるスジ画像の発生を防止できる。
【０１３３】
これに対し、異物の滞留が確認された場合には、当該原稿Ｓが到達するよりも早く、段差部材５００をコンタクトガラス１８上より退避させる。この状態で、画像読取り位置ＳＰに原稿Ｓが到達すると、その読取り対象の原稿Ｓは、搬送方向のより上流側でコンタクトガラス１８と接触するようになる。これにより、原稿Ｓは、その搬送動作に伴って、画像読取り位置ＳＰに滞留する異物を押し流しながら、コンタクトガラス１８の上面を移動する。したがって、原稿Ｓが画像読取り位置ＳＰを通過するタイミングで、当該原稿Ｓの画情報の読取りを行うことで、転写紙Ｐ上における異物の滞留によるスジ画像の発生を防止できる。
【０１３４】
上述した通り、本実施の形態に係るディジタル複写機１の構成とした場合には、異物の付着や滞留による影響を低減して、複写画像の品質の低下を防止することができる。
【０１３５】
また、本実施の形態に係るディジタル複写機１は、原稿Ｓの読取り時の搬送動作に伴って、コンタクトガラス１８上に滞留している異物を排除するものであるため、清掃シートを必要としないのみならず、クリーニングに要する時間的なロスをも抑制できる。また、クリーニング中は原稿Ｓの読取りが行えないといった問題も解決できるため、ディジタル複写機１の稼働率を低下させることもない。
【０１３６】
なお、上記した実施の形態においては、異物の滞留が確認された場合にのみ、段差部材５００の退避を行うようにした場合について説明した。この場合に限らず、段差部材５００の退避は、例えば所定時間の経過後や所定枚数分の原稿Ｓの読取りを行うたびなど、定期的に行うようにしてもよい。これにより、コンタクトガラス１８の上面において、異物の滞留がない状態を常に保つことが可能となる。
【０１３７】
また、ディジタル複写機１に限らず、例えば、ファクシミリ、スキャナ、普通紙複写機（ＰＰＣ）、および、複合機などにも適用できる。
【０１３８】
また、段差移動機構５１０の構成についても、上記の実施の形態に限定されるものではない。
【０１３９】
図９および図１０は、段差移動機構５１０の第１の変形例（５１０Ａ）を示すものである。
【０１４０】
この第１の変形例に係る段差移動機構５１０Ａは、ソレノイド５１１が水平方向（原稿Ｓの搬送方向）に向けて設置されている。
【０１４１】
すなわち、ソレノイド５１１は、伸縮アーム５１１ａを搬送方向の下流側に向けて配置されている。ソレノイド５１１は、その伸縮アーム５１１ａの先端部が、段差部材５００の下面（裏面）の上流側の端部に設けられた爪部５００ｃに接続されている。
【０１４２】
この変形例の場合、段差部材５００の下面の搬送方向と直交する方向の両端部に、それぞれスプリング係合部５００ｂが設けられている。このスプリング係合部５００ｂには、スプリング５０５の一端が取り付けられている。
【０１４３】
スプリング５０５の他端は、ディジタル複写機１の本体１ａにおけるカバー部１ｂの下面（裏面）の搬送方向と直交する方向の両端部に、それぞれ設けられたスプリング係合部１ｃに取り付けられている。
【０１４４】
この段差移動機構５１０Ａの場合、スプリング５０５は、段差部材５００を初期位置から退避させる方向に付勢するようになっている。
【０１４５】
このような構成とした場合、複写画像の品質の低下を防止することが可能になるとともに、ソレノイド５１１を水平方向に向けて設置できるため、垂直方向のスペースを確保できない場合に有利である。また、上記した段差移動機構５１０のようなレバー５１２などを必要としないため、シンプルな構造とすることができ、部品点数の削減とともに、コストの面で有利となる。
【０１４６】
図１１〜図１３は、段差移動機構５１０の第２の変形例（５１０Ｂ）を示すものである。
【０１４７】
この第２の変形例に係る段差移動機構５１０Ｂは、ソレノイド５１１を用いずに、段差部材５００の移動を手動で行うようにした場合の例である。
【０１４８】
図１１および図１２に示すように、この第２の変形例に係る段差移動機構５１０Ｂは、段差部材５００とディジタル複写機１の本体１ａにおけるカバー部１ｂとの接面に設けられた、いわゆるスナップフィット形状を有する操作部５２０（図１３参照）を備える。
【０１４９】
操作部５２０は、例えば、ユーザによって操作バー５２１が上流側に操作されることに伴って、段差部材５００の略凸型の係合部５００ｄが、カバー部１ｂの略凹型の第１係合部１ｄから傾斜面に沿って上流側に移動する。そして、略凸型の係合部５００ｄは、カバー部１ｂの略凹型の第２係合部１ｅに係合される。このように、異物の滞留が確認された際には、段差部材５００は、コンタクトガラス１８上の初期位置から搬送方向の上流側へと退避され、スプリング５０５の付勢力により、その位置に保持される。
【０１５０】
逆に、滞留する異物をクリーニングできた際には、ユーザによって操作バー５２１が下方向に押込まれることによって、操作部５２０は、段差部材５００の係合部５００ｄが、カバー部１ｂの第２係合部１ｅから外れる。そして、係合部５００ｄは、搬送方向の下流側に移動されて、第１係合部１ｄに係合される。これにより、段差部材５００は、コンタクトガラス１８上の初期位置へと復帰させられる。
【０１５１】
なお、段差部材５００の初期位置への復帰は、例えば、段差部材５００の下面（裏面）に設けられた遮光板５００ｅによって、カバー部１ｂの下面（裏面）に設けられた透過型センサ５３０が遮光状態から透光状態に変化させられることで検知される。
【０１５２】
このような構成において、原稿Ｓの読取り後、ディジタル複写機１の電源投入時、または、ＡＤＦ３００に原稿Ｓをセットした際などに、異物の滞留を確認し、異物の滞留が確認された場合には、それをユーザに告知する。
【０１５３】
例えば、異物の滞留が確認された場合、本体制御部１１１は、「段差部材５００を動かして、原稿Ｓによるコンタクトガラス１８のガラス面の清掃して下さい」といったメッセージを、操作表示部１０８に表示させることにより、ユーザに告知する。
【０１５４】
また、原稿Ｓの読取り動作に伴って、コンタクトガラス１８の画像読取り位置ＳＰに滞留する異物をクリーニングすることができた場合には、それをユーザに告知する。
【０１５５】
例えば、本体制御部１１１は、原稿Ｓの読取りを行った後のスキャン画像から異物の滞留が確認されなかった場合、「段差部材５００を元の（初期）位置に戻して下さい」といったメッセージを、操作表示部１０８に表示させることにより、ユーザに告知する。
【０１５６】
段差移動機構５１０Ｂとしては、このような告知に基づいて、ユーザが、段差部材５００の位置を上記のように手動により変更する構成としてもよい。
【０１５７】
このような構成とした場合には、複写画像の品質の低下を防止することが可能になるとともに、ソレノイド５１１が不要となるため、コストの面において特に有利である。
【０１５８】
図１４および図１５は、段差移動機構５１０の第３の変形例（５１０Ｃ）を示すものである。
【０１５９】
この第３の変形例に係る段差移動機構５１０Ｃは、ソレノイド５１１を用いずに、段差部材５００の移動を手動で行うようにした場合の他の例である。
【０１６０】
図１４および図１５に示すように、この段差移動機構５１０Ｃは、操作バー５２２をユーザが手動により操作することで、段差部材５００をコンタクトガラス１８上の搬送方向の上流側における任意の位置に移動させることができるように構成されている。
【０１６１】
すなわち、操作バー５２２は、段差部材５００の上流側の端部に、上流側に延在するように取付けられている。この操作バー５２２は、ディジタル複写機１の本体１ａにおけるカバー部１ｂに形成された長孔１ｆ内に挿入され、その先端部がカバー部１ｂの表面より突出されている。したがって、異物の滞留が確認された際には、この操作バー５２２をユーザが上流側に向かって操作することに伴って、段差部材５００は、コンタクトガラス１８の上面の初期位置から上流側へと退避する。
【０１６２】
このように、コンタクトガラス１８の上面に対し、段差部材５００をユーザの操作に応じて任意に移動できる構成とすることで、頻度の高い原稿Ｓの性質に応じて画像読取り位置ＳＰのレイアウトを任意に切替えることが可能となる。例えば、紙粉の発生しやすい原稿Ｓを読取る際には段差部材５００をコンタクトガラス１８上より退避させ、粘着性異物が付着しやすい原稿Ｓの読取りを行う際には段差部材５００をコンタクトガラス１８上の初期位置に移動させるようにする。
【０１６３】
このような構成により、異物の付着や滞留による影響を低減して、複写画像の品質の低下を防止することが可能になるとともに、安価な段差移動機構５１０Ｃを実現できる。
【符号の説明】
【０１６４】
１  ディジタル複写機（画像形成装置）
１８  コンタクトガラス
１００  コントローラ（移動制御手段）
１０８  操作表示部
１１１  本体制御部（異物検出手段）
１２１  スキャナ（読取手段）
３００  ＡＤＦ
５００  段差部材
５１０、５１０Ａ、５１０Ｂ、５１０Ｃ  段差移動機構
Ｇ  段差部
ＮＣ  非接触領域
Ｓ  原稿
ＳＰ  画像読取り位置
【先行技術文献】
【特許文献】
【０１６５】
【特許文献１】特許第４９１５２４７号公報
【図１】
2014207550.tif 000003
【図２】
2014207550.tif 000004
【図３】
2014207550.tif 000005
【図４】
2014207550.tif 000006
【図５】
2014207550.tif 000007
【図６】
2014207550.tif 000008
【図７】
2014207550.tif 000009
【図８】
2014207550.tif 000010
【図９】
2014207550.tif 000011
【図１０】
2014207550.tif 000012
【図１１】
2014207550.tif 000013
【図１２】
2014207550.tif 000014
【図１３】
2014207550.tif 000015
【図１４】
2014207550.tif 000016
【図１５】
2014207550.tif 000017